(57)【特許請求の範囲】
【請求項１】
被験者の額付近に配置される剛性の基部と、頭頂部付近に脳波電極を固定する剛性の第１電極固定部と、前記基部と前記第１電極固定部を接続する弾性の第１弾性接続部と、を有する第１アームと、
前記被験者の頭部の一方側面に配置されて脳波電極を固定する第２電極固定部と、前記基部と前記第２電極固定部を接続する弾性の第２弾性接続部と、を有する第２アームと、
前記被験者の頭部の他方側面に配置されて脳波電極を固定する第３電極固定部と、前記基部と前記第３電極固定部を接続する弾性の第３弾性接続部と、を有する第３アームと、
前記第１〜第３アームとそれぞれ接続すると共に、前記被験者の後頭部の少なくとも一部を覆う伸縮性の支持体と、
前記第１〜３アームの頭部への固定度合を調節する少なくとも１つの調節機構と、
を備える、脳波測定用装具。
【請求項２】
前記調節機構は、前記支持体と前記第１〜第３アームを接続する複数のバンドの各々に設けられている、
ことを特徴とする請求項１に記載の脳波測定用装具。
【請求項３】
前記調節機構の各々は、前記第１〜３アームに設けられた挿通穴に前記複数のバンドの各々の先端を挿通後に折り返すようにして固定する、
ことを特徴とする請求項２に記載の脳波測定用装具。
【請求項４】
前記第２アーム及び前記第３アームと接続すると共に、前記第１アームの一部を被験者側に押圧するようにして固定する頭頂部用バンドを更に有する、
ことを特徴とする請求項１〜請求項３のいずれか１項に記載の脳波測定用装具。
【請求項５】
前記第２アーム及び前記第３アームに接続され、前記被験者の顎にひっかけて固定する顎バンドを更に有する、
ことを特徴とする請求項１〜請求項４のいずれか１項に記載の脳波測定用装具。
【請求項６】
前記第１アームは、前記被験者の額に合わせたアーチ形状を有した弾性部材により構成されるパッドを更に有する、
ことを特徴とする請求項１〜請求項５のいずれか１項に記載の脳波測定用装具。
【請求項７】
前記支持体は、前記被験者の頭部の左右方向に凸となる把持部を有する、
ことを特徴とする請求項１〜請求項６のいずれか１項に記載の脳波測定用装具。
【請求項８】
前記第１〜３電極固定部の各々は、ケーブルを介して脳波電極から測定信号を取得する電極接続部を有する、
ことを特徴とする請求項１〜７のいずれか１項に記載の脳波測定用装具。
【請求項９】
前記調節機構の各々の操作順序を示す情報が記載されている、
ことを特徴とする請求項１〜８のいずれか１項に記載の脳波測定用装具。
【発明の詳細な説明】
【技術分野】
【０００１】
本発明は脳波測定用装具に関する。
【背景技術】
【０００２】
脳波は、人間の脳活動により生じる電気信号である。測定装置（脳波計）は、被験者の頭表に装着された脳波電極によって脳波を測定する。測定される脳波は、頭表の位置によって異なる。そのため操作者は、頭表の所定位置に脳波電極を装着して脳波測定を行う。すなわち脳波測定では、多数の脳波電極を頭表の決められた位置に装着する必要がある。脳波電極の配置例として国際１０／２０法が挙げられる。
【０００３】
ところで脳波は、近年では脳神経分野だけでなく、救急医療分野でも診断に応用されることが期待されている。脳波電極は上述のように国際１０／２０法等に従った所定位置に配置する必要がある。しかしながら熟練していないスタッフは、所定位置への脳波電極の取り付けに手間取ってしまう。そのため簡易な方法で脳波電極を取り付ける技術が必要となる。以下、脳波電極を所定位置に配置するための脳波電極用ヘッドセット（ヘッドキャップ）に関連する技術について説明する。
【０００４】
特許文献１は、複数の伸縮素材のストラップが格子状に縫い合わされた脳波測定用のヘッドキャップを開示している。上述のストラップには国際１０／２０法に従った所定位置に対して脳波電極の配置点が設けられている。
【０００５】
また特許文献２は、可撓性及び剛性を有する電極固定用の電極ヘッドセットが開示されている。当該電極ヘッドセットは、その可撓性により被験者の頭部に電極を密着させることが可能となる。
【先行技術文献】
【特許文献】
【０００６】
【特許文献１】米国特許５２９３８６７号明細書
【特許文献２】特表２００９−５３００６４号公報
【発明の概要】
【発明が解決しようとする課題】
【０００７】
特許文献１に記載のヘッドキャップは、素材の伸縮性により脳波電極を被験者の頭皮に密着させている。同様に特許文献２に記載の電極ヘッドセットは、ヘッドセット自体の有する可撓性によって脳波電極を被験者の頭皮に密着させている。しかしながら、被験者の頭部の大きさは様々である。そのため、伸縮性（または可撓性）を有する素材により構成されたヘッドセット（ヘッドキャップ）であっても、被験者の頭部の大きさによっては締め付けがきつくなる場合や電極の接触が十分ではない場合があった。
【０００８】
本発明は上記の事情を鑑みてなされたものであり、被験者の頭部の大きさに合わせて適切な位置に脳波電極を取り付けることが可能な脳波測定用装具を提供することを主たる目的とする。
【課題を解決するための手段】
【０００９】
本発明にかかる脳波測定用装具の一態様は、
被験者の額付近又は後頭部から頭頂部に固定され、脳波電極を固定する第１アームと、
前記第１アームに接続されると共に前記被験者の頭部の一方側面に固定され、脳波電極を固定する第２アームと、
前記第１アームに接続されると共に前記被験者の頭部の他方側面に固定され、脳波電極を固定する第３アームと、
前記第１〜第３アームとそれぞれ接続すると共に、前記第１アームとの対向方向から前記被験者の頭部の少なくとも一部を覆う伸縮性の支持体と、
前記第１〜３アームの頭部への固定度合を調節する少なくとも１つの調節機構と、
を備える、ものである。
【００１０】
支持体は、第１アーム〜第３アームと接続すると共に、伸縮性を有する素材により被験者の頭部の一部（好適には後頭部）を覆う。伸縮性のある支持体によって頭部を覆うことにより、支持体の装着時点において脳波電極を概ね所定の位置に固定することができる。更に脳波測定用装具は、第１アーム〜第３アームの固定度合を調節する調節機構を有する。この調節機構によって固定度合を調節することによって、被験者の頭部の適切な箇所に脳波電極を適切な力によって固定することが可能となる。換言すると被験者の頭部の大きさによらず、脳波電極を適切な位置に適切な力で固定することが可能となる。
【発明の効果】
【００１１】
本発明は、被験者の頭部の大きさに合わせて適切な位置に脳波電極を取り付けることが可能な脳波測定用装具を提供する。
【図面の簡単な説明】
【００１２】
【図１】実施の形態１にかかる脳波測定用装具１の正面図である。
【図２】実施の形態１にかかる各アーム（第１アーム１０、第２アーム２０、第３アーム３０）を示す図である。
【図３】実施の形態１にかかる各アーム（第１アーム１０、第２アーム２０、第３アーム３０）を示す図である。
【図４】実施の形態１にかかるパッド１４の形状を示す図である。
【図５】実施の形態１にかかる脳波測定用装具１の斜視図である。
【図６】実施の形態１にかかる脳波測定用装具１の斜視図である。
【図７】実施の形態１にかかる脳波測定用装具１の斜視図である。
【図８】実施の形態１にかかる脳波測定用装具１の斜視図である。
【図９】実施の形態１にかかるバンド５３の取り付け態様を示す図である。
【図１０】実施の形態１にかかる脳波測定用装具１の装着態様を示す図である。
【発明を実施するための形態】
【００１３】
＜実施の形態１＞
以下、図面を参照して本発明の実施の形態について説明する。なお本明細書における図面は視認しやすくするため、適宜図示を簡略化したり、一部の部材の縮尺や位置を実際の仕様とは異なる場合がある。
【００１４】
図１は、本実施の形態にかかる脳波測定用装具１の装着状態を示す正面図である。脳波測定用装具１は、主に３つのアーム（図２及び図３において後述する第１アーム１０、第２アーム２０、及び第３アーム３０）と、各アームにバンド５１〜５４を介して接続する支持体４１（図１には不図示、図５等を用いて後述する。）と、を備える。なお、図１に図示するように以下の説明では被験者（脳波測定用装具１の装着者）が正面を向いている場合の左方向を−Ｘ方向、右方向を＋Ｘ方向、上方向を＋Ｙ方向、下方向を−Ｙ方向とする。また、図示しないものの手前方向（顔側）を＋Ｚ方向、奥行き方向（後頭部側）を−Ｚ方向とする。
【００１５】
はじめに３つのアーム（第１アーム１０、第２アーム２０、及び第３アーム３０）の構造について図２及び図３を参照して説明する。図２は、３つのアームを外部露出側から見た場合の正面図である。第１アーム１０は、基部１１、弾性接続部１２、及び電極固定部１３を有する。第１アーム１０は、被験者の額付近から頭頂部にかけて固定される（図１参照）。
【００１６】
基部１１は、額付近に固定される部材であり、額付近の左右方向に挿通穴１１１と挿通穴１１２を有する。挿通穴１１１と挿通穴１１２は、後述するバンド５１及びバンド５２を挿通する穴である。基部１１は、内部に無線送受信機能を実装するＣＰＵ（Central Processing Unit）や各種増幅回路等を含むものであってもよい。そのため基部１１は、防水性や耐衝撃性に優れた剛性を有する素材（例えば剛性のプラスチック等）により構成されていることが好ましい。
【００１７】
弾性接続部１２は、力が加わることによって曲がる弾性部材である。すなわち弾性接続部１２は、エラストマー等の弾性体により構成され、基部１１に比べて素材の弾性が高い。弾性接続部１２は、内部に電極固定部１３と基部１１を接続する各種ケーブル等を内蔵する。
【００１８】
電極固定部１３は、頭頂付近に配置する脳波電極（国際１０−２０法にあってはＣｚ電極）を固定するための部材である。電極固定部１３は、頭部側面に向かって２つの挿通穴１３１及び挿通穴１３２を有する。当該挿通穴１３１及び挿通穴１３２は、後述するバンド６２を挿通するための穴である。
【００１９】
続いて第２アーム２０について説明する。第２アーム２０は、第１アーム１０に接続し、被験者の頭部の一方側面（本例では右側側面）に固定される。第２アーム２０は、電極固定部２１と弾性接続部２２を有する。電極固定部２１は、本実施例では３つの電極を固定する固定部２１１〜２１３を有する（図２には図示せず。詳細は図３を参照して後述する。）。図２の例では、電極固定部２１に対して脳波電極７２及び脳波電極７３が固定されている。
【００２０】
電極固定部２１は内部に増幅回路等を有する場合、基部１１と同様に防水性や耐衝撃性に優れた剛性を有する素材（例えば剛性のプラスチック等）により構成されていることが好ましい。電極固定部２１には、後述するバンド５１を挿通するための挿通穴２１４が−Ｙ側端部に設けられている。また電極固定部２１には、後述するバンド６２を固定するためのフック２１５が＋Ｙ側端部に設けられている。更に電極固定部２１には、後述するバンド６１を固定するためのフック２１６が挿通穴２１４の付近（挿通穴２１４の−Ｘ側の側部）に設けられている。なお挿通穴２１４、フック２１５、及びフック２１６が設置される箇所は必ずしも図示する箇所に限られず、この他の箇所に設けられていてもよい。
【００２１】
弾性接続部２２は、弾性接続部１２と同様に力が加わることによって曲がる弾性部材である。すなわち弾性接続部２２は、エラストマー等の弾性体により構成され、基部１１や電極固定部２１に比べて素材の弾性が高い。
【００２２】
続いて第３アーム３０について説明する。第３アーム３０は、第１アーム１０に接続し、被験者の頭部の一方側面（第２アーム２０とは他方側面であり、本例では左側側面。）に固定される。第３アーム３０は、電極固定部３１と弾性接続部３２を有する。電極固定部３１は、本実施例では３つの脳波電極を固定する固定部３１１〜３１３を有する（図２には図示せず。詳細は図３を参照して後述する。）図３の例では、電極固定部３１に対して脳波電極７５及び脳波電極７６が固定されている。
【００２３】
電極固定部３１は内部に増幅回路等を有する場合、基部１１と同様に防水性や耐故障性に優れた剛性を有する素材（例えば剛性のプラスチック等）により構成されていることが好ましい。電極固定部３１には、後述するバンド５２を挿通するための挿通穴３１４が−Ｙ側端部に設けられている。また電極固定部３１は、後述するバンド６２を固定するためのフック３１５が＋Ｙ側端部に設けられている。更に電極固定部３１には、後述するバンド５１を固定するためのフック３１６は挿通穴３１４の付近（挿通穴３１４の＋Ｘ側の側部）に設けられている。なお挿通穴３１４、フック３１５、及びフック３１６が設置される箇所は必ずしも図示する箇所に限られず、この他の箇所に設けられていてもよい。
【００２４】
弾性接続部３２は、弾性接続部１２と同様に力が加わることによって曲がる弾性部材である。すなわち弾性接続部３２は、エラストマー等の弾性体により構成され、基部１１や電極固定部３１に比べて素材の弾性が高い。
【００２５】
続いて図３を参照して、３つのアームについて更に説明する。図３は、３つのアームを被験者との接触側から見た場合の正面図である。基部１１には、着脱可能なパッド１４が取り付けられている。本例では、挿通穴１１１及び挿通穴１１２の対向面付近にパッド１４が取り付けられている。パッド１４は、被験者の額に合わせたアーチ形状を有する。パッド１４は、被験者に脳波測定用装具１を取り付けた際に被験者の額付近と接触する。
【００２６】
図４を参照して、パッド１４の詳細について説明する。パッド１４は、被験者の額に密着する吸着性及び弾性を有する素材であることが好ましく、例えばシリコン等により構成される。被験者と接触する接触面１４５及び接触面１４６は、上述のようにアーチ形状を有する。
【００２７】
凸部１４１及び凸部１４２は、基部１１に設けられた挿入穴（図示せず）に挿入される。凸部１４１の長径は、当該挿入穴の直径よりも大きい。また係止部１４３の長径は、当該挿入穴の直径よりも小さい。パッド１４がシリコン等の弾性部材により構成されているため、凸部１４１を当該挿入穴に挿入することができる。また凸部１４１を当該挿入穴に挿入した場合、凸部１４１の長径が挿入穴よりも大きいため、意図しないパッド１４の取り外しを回避することができる。凸部１４２及び係止部１４４は、それぞれ凸部１４１及び係止部１４３と同様の構成である。
【００２８】
再び図３を参照する。上述のようにパッド１４は、基部１１の挿通穴（図示せず）に挿入することにより基部１１に固定される。
【００２９】
電極固定部１３は、脳波電極７１を固定する固定部１３３を有する（脳波電極７１の取り付けにより不図示）。電極固定部２１は、脳波電極７２〜７４を固定する固定部２１１〜２１３を有する。同様に電極固定部３１は、脳波電極７５〜７７を固定する固定部３１１〜３１３（３１１、３１３については脳波電極７５、７７の取り付けにより不図示）を有する。図３では、３つの脳波電極７１、７５、７７が装着された例を示している。各固定部（１３３、２１１〜２１３、３１１〜３１３）は、例えば電極凸部が挿入される挿入穴に類する形状であればよい。
【００３０】
この固定部（１３３、２１１〜２１３、３１１〜３１３）の配置位置は、例えば国際１０−２０法を参照にして定めればよい。なお、本例では、第１アーム１０〜第３アーム３０が７つの脳波電極を固定する固定部（１３３、２１１〜２１３、３１１〜３１３）を有するものとして説明したが、必ずしもこれに限られない。第１アーム１０〜第３アーム３０に設けられる脳波電極の固定位置や個数は、その用途に応じて適宜調節してもよい。
【００３１】
また電極固定部２１には、固定部２１１の付近（−Ｚ方向側）に後述するバンド５３を挿通させるための挿通穴２１７が設けられている。電極固定部３１には、固定部３１１の付近（−Ｚ方向側）に後述するバンド５４を挿通させるための挿通穴３１７が設けられている。なお、挿通穴２１７は第２アーム２０のこの他の箇所に設けられていてもよい。同様に挿通穴３１７は、第３アーム３０のこの他の箇所に設けられていてもよい。
【００３２】
以上が第１アーム１０〜第３アーム３０の概要である。改めて図１を参照して、脳波測定用装具１の装着状態を参照する。図示するように第１アーム１０（基部１１、パッド１４等）が被験者の額付近から頭頂部にかけて固定されている。第２アーム２０（電極固定部２１、弾性接続部２２）は、第１アーム１０と接続すると共に、被験者の頭部側面（右側頭部）にかけて固定されている。第３アーム３０（電極固定部３１、弾性接続部３２）は、第１アーム１０と接続すると共に、被験者の頭部側面（左側頭部）にかけて固定されている。
【００３３】
バンド６１（顎バンド）は、フック２１６及びフック３１６に挿通穴をひっかけることにより被験者の顎に脳波測定用装具１を固定している。バンド６１には複数の挿通穴が設けられており、どの挿通穴をフック２１６及びフック３１６にひっかけるかにより固定度合を調節すればよい。
【００３４】
脳波測定用装具１は、第１アーム１０と対向する方向（図１の構成では後頭部方向）から被験者の頭部を覆う伸縮性の支持体４１（図１には不図示）を有する。当該支持体４１について、図５を参照して説明する。
【００３５】
図５は、被験者の右側頭部を中心とした脳波測定用装具１の斜視図である。図示するように支持体４１は、被験者の後頭部の一部を覆うようにして支持する。支持体４１は、伸縮性を有する構成により構成されている。また支持体４１は、クッション性を兼ね備えていることが好ましい。そのため支持体４１は、例えば２〜５ｍｍ程度の厚みのある伸縮素材配合の布等であればよい。
【００３６】
支持体４１は、バンド５１を介して第１アーム１０と接続し、バンド５３を介して第２アーム２０と接続する。バンド５１は、挿通穴２１４を挿通すると共に挿通穴１１１を挿通し、挿通穴１１１の挿通後に折り返して固定される。バンド５１の先端は、後述するように面ファスナーにより構成されている（詳細については図９を参照して後述する。）。バンド５３は、挿通穴２１７を挿通した後に折り返して固定される。バンド５３の先端についてもバンド５１と同様に面ファスナーにより構成される。バンド６２（頭頂部用バンド）は、伸縮性のある素材（例えばゴム等）であり、フック２１５及びフック３１５（図５には図示せず）に挿通する穴を調節することにより長さを調節する。バンド６２は、電極固定部１３（ひいては脳波電極７１）を被験者側に向かって押圧して（頭頂部付近に押し付けるようにして）固定する。すなわちバンド６２は、第１アーム１０の一部（好適には脳波電極７１の付近）を被験者側に押圧するようにして固定する。これにより、脳波電極７１を確実に固定することができる。
【００３７】
また支持体４１は、脳波測定用装具１の装着時における左右方向（Ｘ軸方向）に凸となる把持部５５及び把持部５６（図６において図示）を有する。この把持部５５は、被験者への脳波測定用装具１の装着時に把持されることを想定されている。装着態様については図９を参照して後述する。
【００３８】
図６は、被験者の左側頭部を中心とした脳波測定用装具１の斜視図である。なおバンド６１やバンド６２は、脳波測定用装具１や各電極を固定するために好ましいものであるが、必須の構成ではない。そのため図６においてはバンド６１の記載を省略した構成について開示している。
【００３９】
支持体４１は、バンド５２を介して第１アーム１０と接続し、バンド５４を介して第３アーム３０と接続する。バンド５２は、挿通穴３１４を挿通すると共に挿通穴１１２を挿通し、挿通穴１１２の挿通後に折り返して固定される。バンド５２の先端は、後述するように面ファスナーにより構成されている（詳細については図９を参照して後述する。）。バンド５４は、挿通穴３１７を挿通した後に折り返して固定される。バンド５４の先端についてもバンド５１と同様に面ファスナーにより構成される。また支持体４１には、脳波測定用装具１の装着時における左右方向（Ｘ軸方向）に凸となる把持部５６が設けられている。
【００４０】
続いて図７を参照する。図７は、被験者の右側頭部を正面とした場合の脳波測定用装具１の斜視図である。図示するように基部１１に接続したパッド１４が被験者の略額部分に固定されている。上述のようにパッド１４は、額に沿うようなアーチ形状を有しており、かつ柔軟性（弾性）及び吸着性を有する部材（例えばシリコン）である。そのため、脳波測定用装具１の基部１１付近を適切に被験者の額付近に固定することができる。またバンド５１やバンド５３の折り返しの長さを調節することにより、第１アーム１０及び第２アーム２０の固定度合を調節する。
【００４１】
続いて図８を参照する。図８は、被験者の左側頭部を正面とした場合の脳波測定用装具１の斜視図である。図７と同様にパッド１４により、脳波測定用装具１の基部１１付近を適切に被験者の額付近に固定することができる。またバンド５２やバンド５４の折り返しの長さを調節することにより、第１アーム１０及び第３アーム３０の固定度合を調節する。
【００４２】
また、図８に示すように基部１１には、電極接続部１１３が設けられていてもよい。上記の構成では、７つの脳波電極を固定する脳波測定用装具１を開示したが、被験者の状態や測定目的によって必要となる脳波電極数が増える可能性がある。電極接続部１１３は、測定目的に応じて必要となる脳波電極からケーブルを介して測定信号を取得するための接続部（ケーブル差込口）である。図８では、電極接続部１１３は、ケーブルを介してシール形状の脳波電極７８と接続している。なお図８の例では、１つの電極接続部１１３のみを示しているが、基部１１は複数の電極接続部１１３を有していてもよく、基部１１のみならず電極固定部２１、電極固定部３１、電極固定部１３にケーブル差込口が設けられていてもよい。
【００４３】
続いてバンド５１〜バンド５４による第１アーム１０〜第３アーム３０の固定度合の調節について図９を参照して説明する。図９は、バンド５３による第２アーム２０の固定調節を概念的に示す拡大図である。なお図９においては、バンド５３や挿通穴２１７を除く部分については説明の明確化のため簡略化して記載している。
【００４４】
上述の構成では、バンド５１〜バンド５４は、第１アーム１０〜第３アーム３０の被験者頭部への固定度合を調節するための調節機構として作用する。すなわち本実施の形態では脳波測定用装具１は、４つの調節機構（バンド５１〜バンド５４）を有する構成である。換言すると調節機構は、支持体４１と第１アーム１０〜第３アーム３０を接続するバンド５１〜バンド５４の各々に設けられている。以下、調節機構としての作用についてバンド５３を例にとり説明する。
【００４５】
バンド５３は、同一面にフック状に起毛された面（フック状起毛面５３１）とループ状に起毛された面（ループ状起毛面５３２）を有する。本例では、フック状起毛面５３１は、バンド５３の先端部に設けられている。なおループ状起毛面５３２がバンド５３の先端に設けられていてもよい。
【００４６】
バンド５３は、挿通穴２１７にバンド５３の先端を挿通後に折り返すようにして固定する折り返し式の面ファスナーである。以下、詳細な調節方法を説明する。はじめにユーザ（医師や看護師等）は、バンド５３の先端（フック状起毛面５３１付近）を挿通穴２１７に挿通させる。その後にユーザは、指Ｆ１及び指Ｆ２によりバンド５３の先端をつまみ、脳波測定用装具１の装着具合を見ながら引っ張る。ユーザは、装着具合が適切と感じた後にバンド５３を折り返す。ユーザは、フック状起毛面５３１をループ状起毛面５３２に張り付けることによりバンド５３の折り返し長を調節する。フック状起毛面５３１とループ状起毛面５３２を張り付けた状態は、例えば図５に示されている。この折り返し長が長いほど第２アーム２０（及び第２アーム２０と接続する第１アーム１０）の固定度合が強くなり、折り返し長が短いほど第２アーム２０（及び第２アーム２０と接続する第１アーム１０）の固定度合が弱くなる。この固定度合を調節することによって被験者の頭部の大きさに合わせた適切な固定度合で脳波測定用装具１を装着させる。
【００４７】
上述の面ファスナーによる固定はあくまでも一例であり、ボタンとボタン穴を用いて同様の調整を行うことも可能である。例えばバンド５３の先端側に複数のボタン穴を設け、バンド５３の根元側（支持体４１との接続側）にボタンを設けてもよい。そしてユーザ（医師や看護師等）は、ボタンをどのボタン穴に通すかによってバンド５３の折り返し長を調節する。
【００４８】
図示しないもののバンド５１、バンド５２、及びバンド５４についても同様の方式で第１アーム１０〜第３アーム３０の被験者頭部への固定度合を調節する。
【００４９】
なおバンド５１〜バンド５４は、第１アーム１０〜第３アーム３０の固定度合を調節するための調節機構の一態様であり、バンド以外の方法で固定度合を調節してもよい。例えば支持体４１の略中央部分（被験者の後頭部中心付近）に一般的なベルトバックルに類する調節機構を設けてもよい。この場合、バンド５１〜バンド５４は各挿通穴（１１１、１１２、２１７、３１７）に挿通して折り返した後に縫合する等して固定されていればよい。
【００５０】
上述の脳波測定用装具１は、一般脳波検査で使用することも可能であるが、救急分野においても使用する場合に特に効果を発揮する。そこで図１０を参照して、救急患者に対する脳波測定用装具１の使用例を説明する。
【００５１】
被験者は、載置面Ｇに横たわっていることを想定している。すなわち被験者は、救急患者であることを想定している。載置面Ｇとは、主に病院のベッド、ストレッチャーのマットレス等である。
【００５２】
はじめにユーザ（医師、看護師等）は、脳波電極７１〜７８を取り付けておく。その後に被験者の頭部が載置面Ｇに載置された状況において第１アーム１０、第２アーム２０、及び第３アーム３０を被験者の頭部に近接させる。この際にパッド１４が被験者の額付近に接触するように固定する。その後にユーザは、被験者の頭部を少しだけ持ち上げた状態において、支持体４１を頭部と載置面Ｇとの間に配置する。ここでユーザは、片手で被験者の頭部を支え、もう一方の手で把持部５５（図示せず）及び把持部５６を順番に−Ｙ方向（被験者の顎側）に引っ張ればよい。把持部５５及び把持部５６は、支持体４１からＸ軸方向に凸となるように配置されている。すなわち把持部５５及び把持部５６は、被験者の頭部からはみ出た状態となりやすい。この把持部５５及び把持部５６をスライドさせるようにして顎側に引っ張ることにより、脳波測定用装具１が被験者の頭部を覆う状態とすることができる。
【００５３】
上述のようにパッド１４は、好適にはシリコン等の弾性がある素材であり、被験者の額に沿うようなアーチ形状を有する（図４）。そのため把持部５５及び把持部５６を用いて支持体４１を−Ｙ方向（被験者の顎側）にスライドさせる場合であっても、パッド１４は多少の角度を変えつつも被験者の額付近に吸着し続ける状態となる。すなわちパッド１４は、基部１１の位置ずれを防ぐようにして作用する。これにより支持体４１を簡単に所定位置にセットできると共に、基部１１の再度の位置調整の手間を軽減することができる。
【００５４】
ユーザは、支持体４１を載置面Ｇと頭部の間に配置した後にバンド５１〜バンド５４の折り返し長を調節する（図９）。これにより第１アーム１０、第２アーム２０、第３アーム３０の被験者頭部への固定度合を調節する。この折り返し長の調節後にバンド６１やバンド６２を取り付けてもよい。なお、バンド６１及びバンド６２は被験者への脳波測定用装具１の取り付け前に予めフック２１５、２１６、３１５、３１６に取り付けられていてもよい。ユーザは、上記の装着処理の後に脳波測定を開始する。
【００５５】
続いて本実施の形態にかかる脳波測定用装具１の効果について説明する。支持体４１は、第１アーム１０、第２アーム２０、及び第３アーム３０と接続すると共に、伸縮性を有する素材により被験者の頭部の一部（上述の例では後頭部）を覆う。伸縮性のある支持体４１によって頭部を覆うことにより、脳波測定用装具１の装着時に脳波電極を概ね所定の位置に固定することができる。更に脳波測定用装具１は、第１アーム１０〜第３アーム３０の固定度合を調節する調節機構（上述の例ではバンド５１〜バンド５４）を有する。この調節機構によって固定度合を調節することによって、被験者の頭部の適切な箇所に脳波電極を適切な力によって固定することが可能となる。換言すると被験者の頭部の大きさによらず、脳波電極を適切な位置に適切な力で固定することが可能となる。
【００５６】
また調節機構は、上述のように支持体４１と第１アーム１０〜第３アーム３０を接続するバンド５１〜バンド５４の各々に設けられていることが好ましい。このように支持体４１と各アームの接続箇所に設けられていることにより、一つのアームのみを強く締め付けてしまう等の不具合を回避でき、各アームを適切な力でまんべんなく固定することができる。
【００５７】
また調節機構は、図９に示したように折り返し式の面ファスナー（フック状起毛面５３１、ループ状起毛面５３２）により構成することが好ましい。この面ファスナーは、長さの調節が非常に簡単であると共に、多くの製品等で広く使用されている。そのため救急医療の場面等においても脳波電極を適切かつ素早く固定することが可能となる。
【００５８】
またバンド６２（頭頂部用バンド）は、電極固定部１３を被験者の頭頂付近に固定する。これによって頭頂部付近の脳波電極７１を適切に固定することができる。
【００５９】
更にバンド６１（顎バンド）は、脳波測定用装具１と被験者の顎付近を固定する。これにより脳波測定用装具１を被験者に密接に固定することが可能となる。
【００６０】
また第１アーム１０には、パッド１４が取り付けられる。このパッド１４は、被験者の頭部に密接するようなアーチ形状を有するとともに弾性を有する。そのため、脳波測定用装具１の装着過程において第１アーム１０を適切に被験者頭部に固定することができる。
【００６１】
さらに各アームは、それぞれ剛性の電極固定部（基部１１、電極固定部１３、電極固定部２１、電極固定部３１）と弾性を有する弾性接続部（１２、２２、３２）を有する。弾性接続部（１２、２２、３２）を有することにより各アームが被験者の頭部形状に合わせた形で固定される。また電極固定部（基部１１、電極固定部１３、電極固定部２１、電極固定部３１）が剛性を有することにより、内部の電子回路等を衝撃等から保護することができる。
【００６２】
また剛性を有する電極固定部（基部１１、電極固定部１３、電極固定部２１、電極固定部３１）には、ケーブルを介して脳波電極から測定信号を取得する電極接続部１１３が適宜設けられていてもよい（図８）。これにより、測定内容に応じて使用する脳波電極の数を柔軟に変更することができる。
【００６３】
また支持体４１は、被験者の左右方向（Ｘ軸方向）に凸となる把持部５５及び把持部５６を有する。ユーザは、把持部５５及び把持部５６をつまんでスライドさせることにより簡単に支持体４１を被験者頭部に密着させることができる。
【００６４】
以上、本発明者によってなされた発明を実施の形態に基づき具体的に説明したが、本発明は既に述べた実施の形態に限定されるものではなく、その要旨を逸脱しない範囲において種々の変更が可能であることはいうまでもない。
【００６５】
なお上述の説明では基部１１内に無線通信機能を有するものとしたが必ずしもこれに限られず、各脳波電極から脳波測定装置に対してケーブルが伸びている形態とすることも可能である。
【００６６】
また上述の説明では第１アーム１０が額付近から頭頂部にかけて固定されるものとしたが必ずしもこれに限られない。すなわち第１アーム１０は、用途によっては後頭部から登頂付近にかけて固定されるものであってもよい。この場合、支持体４１は額付近を覆う。つまり支持体４１は、第１アーム１０の対向方向から被験者の頭部の一部を覆う形態であればよい。
【００６７】
また基部１１、電極固定部２１、電極固定部３１の形状はあくまでも一例である。電極固定部２１や電極固定部３１は、上述したような略Ｔ字形状でなくてもよく、この他の形状であってもよい。
【００６８】
また、バンド５１〜バンド５６、バンド６１には、操作順序を示す情報が記載されてもよい。例えばバンド５１には「２」、バンド５２には「２」、バンド５３には「３」、バンド５４には「３」、バンド５５には「１」、バンド５６には「１」、バンド６１には「４」という情報が記載されていてもよい。これにより、ユーザは操作手順を間違えることなく素早く脳波測定用装具１を被験者に取り付けることができる。
【符号の説明】
【００６９】
１  脳波測定用装具
１０  第１アーム
１１  基部
１１１、１１２  挿通穴
１１３  電極接続部
１２  弾性接続部
１３  電極固定部
１３１、１３２  挿通穴
１３３  固定部
１４  パッド
１４１、１４２  凸部
１４３、１４４  係止部
１４５、１４６  接触面
２０  第２アーム
２１、３１  電極固定部
２１１〜２１３、３１１〜３１３  固定部
２１４、２１７、３１４、３１７  挿通穴
２１５、２１６、３１５、３１６  フック
２２、３２  弾性接続部
３０  第３アーム
４１  支持体
５１〜５４  バンド
５３１  フック状起毛面
５３２  ループ状起毛面
５５、５６  把持部
６１、６２  バンド
７１〜７８  脳波電極
【図１】
0006577753.tif 000002
【図２】
0006577753.tif 000003
【図３】
0006577753.tif 000004
【図４】
0006577753.tif 000005
【図５】
0006577753.tif 000006
【図６】
0006577753.tif 000007
【図７】
0006577753.tif 000008
【図８】
0006577753.tif 000009
【図９】
0006577753.tif 000010
【図１０】
0006577753.tif 000011